(57)【要約】【課題】本発明は除湿装置に関するもので、除湿能力の低下を抑制することができるものである。【解決手段】そしてこの目的を達成するために本発明は、本体ケース３内にヒートポンプ４を備え、吸気口１から本体ケース３内に吸気した空気を放熱器６、吸熱器８を順次介して排気口２へと送風する送風手段９と、放熱器６と吸熱器８の間に回動自在に除湿ローター１１を設け、この除湿ローター１１の吸湿部１７は吸熱器８と排気口２の間に、放湿部１６は放熱器６と吸熱器８の間に設け、除湿ローター１１と吸熱器８の間の風路に仕切り部１２を設け、仕切り部１２は、除湿ローター１１側から吸熱器８方向へ延びた除湿ローター側仕切り部２０と、吸熱器８側から除湿ローター１１方向へ延びた吸熱器側仕切り部２１と、吸熱器側仕切り部２１と除湿ローター側仕切り部２０とを連結する連結仕切り部２２とから形成し、この連結仕切り部２２に断熱手段２３を設けたものである。【選択図】図１
2010253411.tif 000002
【特許請求の範囲】
【請求項１】
吸気口と排気口を有する本体ケースと、この本体ケース内に設けられたヒートポンプを備え、このヒートポンプは、圧縮機と、圧縮機の下流に順次設けた放熱器、膨張手段、吸熱器とにより形成し、前記吸気口から前記本体ケース内に吸気した空気を前記放熱器、前記吸熱器を順次介して前記排気口へと送風する送風手段を設けるとともに、前記放熱器と前記吸熱器の間に回動自在に除湿ローターを設け、この除湿ローターは放湿部と吸湿部とからなり、前記吸湿部は前記吸熱器と前記排気口の間の風路に設け、前記放湿部は前記放熱器と前記吸熱器の間の風路に設け、前記放熱器と前記放湿部の間に加熱手段を設けた構成とし、前記除湿ローターと前記吸熱器の間の風路に仕切り部を設け、この仕切り部は前記放湿部から前記吸熱器への風路と、前記吸熱器から前記吸湿部への風路とを仕切り、前記仕切り部は、前記除湿ローター側から前記吸熱器方向へ延びた除湿ローター側仕切り部と、前記吸熱器側から前記除湿ローター方向へ延びた吸熱器側仕切り部と、この吸熱器側仕切り部と前記除湿ローター側仕切り部とを連結する連結仕切り部とから形成し、この連結仕切り部に断熱手段を設けた除湿装置。
【請求項２】
仕切り部である前記除湿ローター側仕切り部は、前記除湿ローターの前記放湿部での回転方向の上流側に位置した上流除湿ローター側仕切り部と、前記除湿ローターの前記放湿部での回転方向の下流側に位置した下流除湿ローター側仕切り部とから形成し、前記連結仕切り部は、前記上流除湿ローター側仕切り部と前記吸熱器側仕切り部とを連結した上流連結仕切り部と、前記下流除湿ローター側仕切り部と前記吸熱器側仕切り部とを連結した下流連結仕切り部とから形成し、前記下流連結仕切り部は、前記吸熱器と対向した位置に、前記上流連結仕切り部は、前記吸熱器の外縁部に位置に構成した請求項１記載の除湿装置。
【請求項３】
連結仕切り部である前記下流連結仕切り部の前記吸熱器側に断熱手段を設けた請求項１または２のいずれかに記載の除湿装置。
【請求項４】
連結仕切り部である前記上流連結仕切り部の前記吸熱器側および前記除湿ローター側に断熱手段を設けた請求項１〜３のいずれかに記載の除湿装置。
【請求項５】
断熱手段は独立発泡系の断熱材である請求項１〜４のいずれかに記載の除湿装置。
【請求項６】
連結仕切り部である前記上流連結仕切り部の前記吸熱器側の断熱材の厚みは、前記上流連結仕切り部の前記除湿ローター側の断熱材の厚みより大きい構成とした請求項５記載の除湿装置。
【請求項７】
放熱器と前記除湿ローターの放湿部との間の風路に加熱手段を設け、この加熱手段は前記除湿ローターの前記放湿部での回転方向の下流側に位置した構成である請求項１〜６のいずれかに記載の除湿装置。
【請求項８】
加熱手段は、前記連結仕切り部である前記下流連結仕切り部に対向した位置に構成した請求項７記載の除湿装置。
【発明の詳細な説明】
【技術分野】
【０００１】
本発明は、ヒートポンプを活用した除湿装置に関する。
【背景技術】
【０００２】
従来のこの種の除湿装置の構成は以下のようになっていた。
【０００３】
すなわち、吸気口と排気口を有する本体ケースと、この本体ケース内に設けられたヒートポンプとを備え、このヒートポンプは、圧縮機と、圧縮機の下流に順次設けた放熱器、膨張手段、吸熱器とにより形成し、前記吸気口から本体ケース内に吸気した空気を放熱器、吸熱器を順次介して排気口へと送風する送風手段を設けた構成となっていた。（例えば、これに類似する先行文献は下記特許文献１に記載されている）。
【０００４】
近年、さらに除湿能力の高い除湿装置が求められ、ヒートポンプに除湿ローターを組み合わせて除湿能力を高めた除湿装置が開発された。
【０００５】
すなわち、上記送風手段の風路であって、放熱器と吸熱器の間には除湿ローターを、また、この除湿ローターと放熱器の間には加熱器を設け、まず、吸熱器部分で結露、除湿回収できなかった湿気をこの除湿ローターで吸湿する。次に、この除湿ローターへ放熱器および加熱器によって加熱された空気を送風し、その空気に湿気を放湿させ、再度吸熱器へ送風することにより結露させ除湿することによって除湿能力を高めようとする構成とするものである。（例えば、これに類似する先行文献は下記特許文献２に記載されている）。
【先行技術文献】
【特許文献】
【０００６】
【特許文献１】特開平６−３３１１６７号公報
【特許文献２】特開２００６−１０２５７８号公報
【発明の概要】
【発明が解決しようとする課題】
【０００７】
上記従来例における課題は、除湿能力が低下するということであった。
【０００８】
すなわち、従来の物においては、まず、室内の空気を放熱器および加熱器によって加熱し、除湿ローターの放湿部へ送風し、その空気に除湿ローターの湿気を放湿させる。次に、その湿気を含んだ空気を吸熱器へ送風し、吸熱器で結露させることにより除湿し、次に除湿ローターの吸湿部へ送風し、この吸湿部で更に除湿するものである。
【０００９】
そこで、除湿ローターの放湿部から吸熱器へ繋がる風路と、吸熱器から除湿ローターの吸湿部へ繋がる風路とを仕切る仕切り部と、除湿ローターとの間で結露した水が凍結し、この凍結した氷が、除湿ローターが回転することにより、除湿ローターの表面を傷つけたり変形させることにより、除湿ローターの開口が塞がった状態となることがあった。
【００１０】
つまり、除湿ローターの開口が塞がることにより、除湿ローターを通過する風量が低下し、除湿能力が低下するということが問題となっていた。
【００１１】
そこで本発明は、除湿能力の低下を抑制することを目的とするものである。
【課題を解決するための手段】
【００１２】
そしてこの目的を達成するために本発明は、吸気口と排気口を有する本体ケースと、この本体ケース内に設けられたヒートポンプを備え、このヒートポンプは、圧縮機と、圧縮機の下流に順次設けた放熱器、膨張手段、吸熱器とにより形成し、前記吸気口から前記本体ケース内に吸気した空気を前記放熱器、前記吸熱器を順次介して前記排気口へと送風する送風手段を設けるとともに、前記放熱器と前記吸熱器の間に回動自在に除湿ローターを設け、この除湿ローターは放湿部と吸湿部とからなり、前記吸湿部は前記吸熱器と前記排気口の間の風路に設け、前記放湿部は前記放熱器と前記吸熱器の間の風路に設け、前記放熱器と前記放湿部の間に加熱手段を設けた構成とし、前記除湿ローターと前記吸熱器の間の風路に仕切り部を設け、この仕切り部は前記放湿部から前記吸熱器への風路と、前記吸熱器から前記吸湿部への風路とを仕切り、前記仕切り部は、前記除湿ローター側から前記吸熱器方向へ延びた除湿ローター側仕切り部と、前記吸熱器側から前記除湿ローター方向へ延びた吸熱器側仕切り部と、この吸熱器側仕切り部と前記除湿ローター側仕切り部とを連結する連結仕切り部とから形成し、この連結仕切り部に断熱手段を設けたものであり、これにより、初期の目的を達成するものである。
【発明の効果】
【００１３】
以上のように本発明は、吸気口と排気口を有する本体ケースと、この本体ケース内に設けられたヒートポンプを備え、このヒートポンプは、圧縮機と、圧縮機の下流に順次設けた放熱器、膨張手段、吸熱器とにより形成し、前記吸気口から前記本体ケース内に吸気した空気を前記放熱器、前記吸熱器を順次介して前記排気口へと送風する送風手段を設けるとともに、前記放熱器と前記吸熱器の間に回動自在に除湿ローターを設け、この除湿ローターは放湿部と吸湿部とからなり、前記吸湿部は前記吸熱器と前記排気口の間の風路に設け、前記放湿部は前記放熱器と前記吸熱器の間の風路に設け、前記放熱器と前記放湿部の間に加熱手段を設けた構成とし、前記除湿ローターと前記吸熱器の間の風路に仕切り部を設け、この仕切り部は前記放湿部から前記吸熱器への風路と、前記吸熱器から前記吸湿部への風路とを仕切り、前記仕切り部は、前記除湿ローター側から前記吸熱器方向へ延びた除湿ローター側仕切り部と、前記吸熱器側から前記除湿ローター方向へ延びた吸熱器側仕切り部と、この吸熱器側仕切り部と前記除湿ローター側仕切り部とを連結する連結仕切り部とから形成し、この連結仕切り部に断熱手段を設けたものであり、除湿能力の低下を抑制することができるものである。
【００１４】
すなわち、除湿ローターと吸熱器との間の風路に仕切り部を設け、この仕切り部は除湿ローターの放湿部から吸熱器への風路と、吸熱器から除湿ローターの吸湿部への風路とを仕切るものであり、仕切り部は、除湿ローターから吸熱器方向へ延びた除湿ローター側仕切り部と、吸熱器から除湿ローター方向へ延びた吸熱器側仕切り部と、この吸熱器側仕切り部と除湿ローター側仕切り部とを連結する連結仕切り部とから形成し、この連結仕切り部に断熱手段を設けているので、除湿ローターと仕切り部である除湿ローター側仕切り部との間に、氷ができるのを抑制できるものである。
【００１５】
つまり、吸熱器によって、除湿ローターと吸熱器との間の風路の仕切り部である吸熱器側仕切り部が冷やされるが、この吸熱器側仕切り部と除湿ローター側仕切り部とを連結する連結仕切り部に断熱手段を設けているので、吸熱器によって連結仕切り部が冷やされることが低減され、結果として、除湿ローター側仕切り部に伝導する冷熱が抑制され、除湿ローター側仕切り部と除湿ローターとの間での、氷の発生を抑制できる。結論として、氷により除湿ローターの表面を傷つけたり変形させることにより、除湿ローターの開口が塞がった状態となることを防止できる。
【００１６】
これらの結果により、除湿ローターの開口が塞がることにより、除湿ローターを通過する風量が低下し、除湿能力が低下することを抑制することができるものである。
【図面の簡単な説明】
【００１７】
【図１】本発明の実施の形態１の除湿装置の概略断面図
【図２】本発明の実施の形態１の除湿装置の斜視図
【図３】本発明の実施の形態１の除湿装置の斜視図
【図４】本発明の実施の形態１の除湿装置の斜視図
【図５】本発明の実施の形態１の除湿装置の斜視図
【発明を実施するための形態】
【００１８】
以下、本実施形態を添付図面を用いて説明する。
【００１９】
（実施の形態１）
図１および図２に示すように、本実施形態の除湿装置は、吸気口１と排気口２を有する本体ケース３と、この本体ケース内にヒートポンプ４を備えている。このヒートポンプ４は、圧縮機５、放熱器６、膨張手段７、吸熱器８とにより形成されている。
【００２０】
送風手段９によって、吸気口１から本体ケース３内に吸気した空気を放熱器６、吸熱器８を順次介して排気口２へと送風する。放熱器６と吸熱器８の間には、ローターケース１０によって回動自在に配設された除湿ローター１１を設けている。
【００２１】
図３に示すように、ローターケース１０は、平板形状で中央部に円形の孔１０ａを備え、その孔１０ａの円周縁１０ｂには除湿ローター１１の方向に円筒形状の立ち上がり壁１０ｃを備えている。その孔の円周縁１０ｂから中央に向けて仕切り部１２が延び、中央部で繋いだ円板形状の受け板部１３を設けている。この受け板部１３の中央には除湿ローター１１方向に延びた円筒形状の軸部１３ａを備え、この軸部１３ａに挿入された除湿ローター１１が回転自在に保持され、除湿ローター１１の吸熱器８側の枠部１１ａと仕切り部１２とが接触しながら回転手段である電動機１４によって回転するものである。
【００２２】
また、除湿ローター１１は円板体となっている。この円板体は、円形リング１１ｂ内に、通気体１５を設け、この通気体１５を円形リング１１ｂと吸熱器８側の枠部１１ａにより固定したものである。また通気体１５は、二枚の帯体間にジグザグ状に帯体設けたものを、円形リング１１ｂ内において、内周から外周に向けて渦巻状に巻くことによって通気構造に構成したものである。
【００２３】
そして、除湿ローター１１は、放湿部１６と吸湿部１７とからなり、吸湿部１７は吸熱器８と排気口２の間の風路に設け、放湿部１６は放熱器６と吸熱器８の間の風路に設けている。具体的には、除湿ローター１１と吸熱器８との間の風路にローターケース１０から延びた仕切り部１２を設け、この仕切り部１２によって放湿部１６から吸熱器８への風路と、吸熱器８から吸湿部１７への風路とを仕切っているものである。また、放熱器６と放湿部１６の間には加熱手段であるヒーター１８を設けている。
【００２４】
以上の構成における除湿動作について説明する。送風手段１９によって吸気口１から本体ケース３内に吸気した空気は、放熱器６で加熱された後にヒーター１８で更に加熱され、高温で相対湿度の低い空気となり、除湿ローター１１の放湿部１６へ送風される。
【００２５】
この放湿部１６に送風された空気は、放湿部１６の湿気を取り込み湿度の高い状態となって吸熱器８へ送られる。この吸熱器８で結露させて除湿し、吸湿部１７に達する。そこで、乾燥状態となった除湿ローター１１の放湿部１６が回転手段である電動機１４によって回転し、吸湿部１７となり、この吸湿部１７で吸熱器８で除湿されなかった湿度を吸湿し除湿する。
【００２６】
本実施形態における特徴は、仕切り部１２の構造にある。すなわち、仕切り部１２は放湿部１６から吸熱器８への風路と、吸熱器８から吸湿部１７への風路とを仕切るものであり、除湿ローター１１から吸熱器８方向へ延びた除湿ローター側仕切り部２０と、吸熱器８から除湿ローター１１方向へ延びた吸熱器側仕切り部２１と、この吸熱器側仕切り部２１と除湿ローター側仕切り部２０とを連結する連結仕切り部２２とから形成している。ここで、この連結仕切り部２２に断熱手段２３を設けた点である。
【００２７】
すなわち、除湿ローター１１と吸熱器８との間の風路に仕切り部１２を設け、この仕切り部１２は除湿ローター１１の放湿部１６から吸熱器８への風路と、吸熱器８から除湿ローター１１の吸湿部１７への風路とを仕切るものであり、仕切り部１２は、除湿ローター１１から吸熱器８方向へ延びた除湿ローター側仕切り部２０と、吸熱器から除湿ローター１１方向へ延びた吸熱器側仕切り部２１と、この吸熱器側仕切り部２１と除湿ローター側仕切り部２０とを連結する連結仕切り部２２とから形成し、この連結仕切り部２２に断熱手段２３を設けているので、除湿ローター１１と仕切り部１２である除湿ローター側仕切り部２０との間に、氷ができるのを抑制できるものである。
【００２８】
つまり、吸熱器８によって、除湿ローター１１と吸熱器８との間の風路の仕切り部である吸熱器側仕切り部２１が冷やされるが、この吸熱器側仕切り部２１と除湿ローター側仕切り部２０とを連結する連結仕切り部２２に断熱手段２３を設けているので、吸熱器８によって連結仕切り部２２が冷やされることが低減され、結果として、除湿ローター側仕切り部２０に伝導する冷熱が抑制され、除湿ローター側仕切り部２０と除湿ローター１１との間での、氷の発生を抑制できる。結論として、氷により除湿ローター１１の表面を傷つけたり変形させることにより、除湿ローター１１の開口が塞がった状態となることを防止できる。
【００２９】
これらの結果により、除湿ローター１１の開口が塞がることにより、除湿ローター１１を通過する風量が低下し、除湿能力が低下することを抑制することができるものである。
【００３０】
また、図４に示すように、仕切り部１２である除湿ローター側仕切り部２０は、除湿ローター１１の放湿部１６での回転方向の上流側に位置した上流除湿ローター側仕切り部２０ａと、除湿ローター１１の放湿部１６での回転方向の下流側に位置した下流除湿ローター側仕切り部２０ｂとから形成し、連結仕切り部２２は、上流除湿ローター側仕切り部２０ａと吸熱器側仕切り部２１とを連結した上流連結仕切り部２２ａと、下流除湿ローター側仕切り部２０ｂと吸熱器側仕切り部２１とを連結した下流連結仕切り部２２ｂとから形成し、下流連結仕切り部２２ｂは、吸熱器８と対向した位置に、上流連結仕切り部２２ａは、吸熱器８の外縁部の位置に構成したものである。
【００３１】
具体的には、除湿ローター１１と吸熱器８との間の風路で、ローターケース１０から延びた仕切り部１２は、除湿ローター側から吸熱器方向へ延びた除湿ローター側仕切り部２０と、吸熱器側から除湿ローター方向へ延びた吸熱器側仕切り部２１と、この吸熱器側仕切り部２１と除湿ローター側仕切り部２０とを連結する連結仕切り部２２とから形成している。
【００３２】
まず、除湿ローター側仕切り部２０は、上流除湿ローター側仕切り部２０ａと下流除湿ローター側仕切り部２０ｂとから形成している。ここで、上流除湿ローター側仕切り部２０ａは、除湿ローター１１の放湿部１６での除湿ローター１１の回転方向の上流側に位置し、除湿ローター１１の吸熱器側の枠部１１ａと接触する略横長平板形状の上流側平板部２４と、この上流側平板部２４の長手方向の両辺部から吸熱器側に延びたの上流側平板立上り部２５と、ローターケースの中央の円形の孔の円周縁の一部から吸熱器側に延びた略円弧平板形状の上流側円弧立上り部２６とから形成されている。また、下流除湿ローター側仕切り部２０ｂは、除湿ローター１１の放湿部１６での除湿ローター１１の回転方向の下流側に位置し、除湿ローター１１の吸熱器側の枠部１１ａと接触する略横長平板形状の下流側平板部２７と、この下流側平板部２７の長手方向の両辺部から吸熱器側に延びた略横長平板形状の下流側立上り部２８とから形成されている。
【００３３】
次に、吸熱器側仕切り部２１は、吸熱器８から除湿ローター方向へ吸熱器８の上面を覆うように延びた、略横長平板形状の上面立上り部２９と、吸熱器８から除湿ローター方向へ吸熱器の両側面を覆うように延びた、略横長平板形状の２つの側面立上り部３０とが連結し形成している。つまり、吸熱器側仕切り部２１は、吸熱器８の上面および両側面とを覆う略コの字形状である。
【００３４】
最後に、連結仕切り部２２は、上流連結仕切り部２２ａと下流連結仕切り部２２ｂとから形成している。つまり、上流連結仕切り部２２ａは、上流除湿ローター側仕切り部２０ａである上流側の一方の上流側平板立上り部２５の吸熱器側の端部２５ａと、上流側円弧立上り部２６の吸熱器側端部２６ａとを、吸熱器側仕切り部２１である上面立上り部２９と一方の側面立上り部３０の除湿ローター側の端部３０ａとを連結するものである。また、下流連結仕切り部２２ｂは、下流除湿ローター側仕切り部２０ｂである上流側の一方の下流側平板立上り部２８の吸熱器側の端部２８ａと、吸熱器側仕切り部２１である上面立上り部２９と一方の側面立上り部３０の除湿ローター側の端部３０ａとを連結するものである。ここで、上流連結仕切り部２２ａおよび上流除湿ローター側仕切り部２０ａは、吸熱器８の外縁部に位置し、下流連結仕切り部２２ｂおよび下流除湿ローター側仕切り部２０ｂは、吸熱器８と対向して位置するものである。
【００３５】
すなわち、上流連結仕切り部２２ａは、吸熱器８の外縁部に位置しており、仕切り部である上流連結仕切り部２２ａおよび上流除湿ローター側仕切り部２０ａとが、吸熱器８と対向した位置にないので、下流除湿ローター側仕切り部２０ｂに比べて、上流除湿ローター側仕切り部２０ａが、吸熱器８によって冷やされることを低減することができる。
【００３６】
また、連結仕切り部２２である下流連結仕切り部２２ｂの吸熱器側に断熱手段２３ｂを設けたものである。具体的には、連結仕切り部２２である吸熱器８と対向した下流連結仕切り部２２ｂの吸熱器側、つまり、吸熱器８と下流連結仕切り部２２ｂとの間に断熱手段２３ｂを設けたものである。
【００３７】
ここで、送風手段９によって吸気口１から本体ケース３内に吸気した空気は、放熱器６で加熱された後にヒーター１８で更に加熱され、高温で相対湿度の低い空気となり、除湿ローター１１の放湿部１６へ送風される。この放湿部１６を通過した高温の空気の一部が、連結仕切り部２２である下流連結仕切り部２２ｂの除湿ローター側に当たり、吸熱器８へ流れる。この吸熱器８で冷やされた後、この空気の一部は、連結仕切り部２２である下流連結仕切り部２２ｂの吸熱器側、つまり、断熱手段２３ｂに当たり、除湿ローター１１の吸湿部１７へ流れるものである。
【００３８】
すなわち、連結仕切り部２２である下流連結仕切り部２２ｂの除湿ローター側は、放熱器６およびヒーター１８で加熱された高温の空気で温められ、下流連結仕切り部２２ｂの吸熱器側は、断熱手段２３ｂにより、吸熱器８で冷やされた空気が直接当たらないので、下流連結仕切り部２２ｂの温度低下を抑制することができる。
【００３９】
また、図４、図５に示すように、連結仕切り部２２である上流連結仕切り部２２ａの吸熱器側および除湿ローター側に断熱手段２３ａ、断熱手段２３ｃを設けたものである。
【００４０】
具体的には、連結仕切り部２２である吸熱器８の周縁部である上流連結仕切り部２２ａの吸熱器側および除湿ローター側に断熱手段２３ａ、断熱手段２３ｃを設けたものである。
【００４１】
ここで、送風手段９によって吸気口１から本体ケース３内に吸気した空気は、放熱器６で加熱された後にヒーター１８で更に加熱され、高温で相対湿度の低い空気となり、除湿ローター１１の放湿部１６へ送風される。この放湿部１６を通過した高温の空気は、連結仕切り部２２である上流連結仕切り部２２ａの除湿ローター側にほとんど当たること無く、吸熱器８へ流れる。この吸熱器８で冷やされた後、この空気の一部は、連結仕切り部２２である上流連結仕切り部２２ａの吸熱器側、つまり、断熱手段２３ａに当たり、除湿ローターの吸湿部１７へ流れるものである。また、吸熱器８の冷気の一部が、上流連結仕切り部２２ａの除湿ローター側を流れるが、除湿ローター側の断熱手段２３ｃにあたるものである。
【００４２】
すなわち、連結仕切り部２２である上流連結仕切り部２２ａの除湿ローター側および吸熱器側は、断熱手段２３ａ、断熱手段２３ｃにより、吸熱器８で冷やされた空気が直接当たらないので、上流連結仕切り部２２ａの温度低下を抑制することができる。
【００４３】
また、断熱手段２３は独立発泡系の断熱材である。断熱材の材質は、１例としてポリエチレンである。
【００４４】
すなわち、断熱手段２３は独立発泡系の断熱材であるので、断熱材の内部を空気が通過することが無いので、断熱性能を向上することができる。なお、断熱手段２３は、断熱手段２３ａ、断熱手段２３ｂ、断熱手段２３ｃとから形成されている。
【００４５】
また、連結仕切り部２２である上流連結仕切り部２２ａの吸熱器側の断熱材の厚みは、上流連結仕切り部２２ａの除湿ローター側の断熱材の厚みより大きい構成としたものである。
【００４６】
すなわち、上流連結仕切り部２２ａは、吸熱器８の外縁部に位置しているので、下流除湿ローター側仕切り部２０ｂである上流連結仕切り部２２ａおよび上流除湿ローター側仕切り部２０ａとが、吸熱器８と対向した位置にないものである。そこで、除湿ローター側の断熱手段２３ｂの厚みを大きくすることにより、除湿ローター１１の放湿部１６から吸熱器８へ流れる風路を狭めることなく、連結仕切り部２２である上流連結仕切り部２２ａの温度低下を抑制することができる。
【００４７】
また、放熱器６と除湿ローター１１の放湿部１６との間の風路に加熱手段であるヒーター１８を設け、このヒーター１８は除湿ローター１１の放湿部１６での回転方向の下流側に位置した構成である。具体的には、加熱手段であるヒーター１８を放熱器６と除湿ローター１１の放湿部１６との間の風路に設け、更に、除湿ローター１１の放湿部１６における、除湿ローター１１の回転方向の下流側寄りにヒーター１８を設けたものである。
【００４８】
すなわち、放熱器６と除湿ローター１１の放湿部１６との間の風路で、仕切り部である下流除湿ローター側仕切り部２０ｂおよび下流連結仕切り部２２ｂ寄りにヒーター１８を設けたので、ヒーター１８の発熱によって、下流除湿ローター側仕切り部２０ｂおよび下流連結仕切り部２２ｂが温められ、下流除湿ローター側仕切り部２０ｂの温度低下を抑制することができる。
【００４９】
また、加熱手段であるヒーター１８は、連結仕切り部２２に対向した位置に構成したものである。具体的には、加熱手段であるヒーター１８を放熱器６と除湿ローター１１の放湿部１６との間の風路に設け、更に、連結仕切り部２２に対向した位置にヒーター１８を設けたものである。
【００５０】
すなわち、放熱器６と除湿ローター１１の放湿部１６との間の風路で、仕切り部である下流連結仕切り部２２ｂに対向した位置に寄りにヒーター１８を設けたので、ヒーター１８の発熱によって、下流除湿ローター側仕切り部２０ｂおよび下流連結仕切り部２２ｂが更に温められ、下流除湿ローター側仕切り部２０ｂの温度低下を抑制することができる。
【産業上の利用可能性】
【００５１】
以上のように本発明は、吸気口と排気口を有する本体ケースと、この本体ケース内に設けられたヒートポンプを備え、このヒートポンプは、圧縮機と、圧縮機の下流に順次設けた放熱器、膨張手段、吸熱器とにより形成し、前記吸気口から前記本体ケース内に吸気した空気を前記放熱器、前記吸熱器を順次介して前記排気口へと送風する送風手段を設けるとともに、前記放熱器と前記吸熱器の間に回動自在に除湿ローターを設け、この除湿ローターは放湿部と吸湿部とからなり、前記吸湿部は前記吸熱器と前記排気口の間の風路に設け、前記放湿部は前記放熱器と前記吸熱器の間の風路に設け、前記放熱器と前記放湿部の間に加熱手段を設けた構成とし、前記除湿ローターと前記吸熱器の間の風路に仕切り部を設け、この仕切り部は前記放湿部から前記吸熱器への風路と、前記吸熱器から前記吸湿部への風路とを仕切り、前記仕切り部は、前記除湿ローター側から前記吸熱器方向へ延びた除湿ローター側仕切り部と、前記吸熱器側から前記除湿ローター方向へ延びた吸熱器側仕切り部と、この吸熱器側仕切り部と前記除湿ローター側仕切り部とを連結する連結仕切り部とから形成し、この連結仕切り部に断熱手段を設けたものであり、除湿能力の低下を抑制することができるものである。
【００５２】
すなわち、除湿ローターと吸熱器との間の風路に仕切り部を設け、この仕切り部は除湿ローターの放湿部から吸熱器への風路と、吸熱器から除湿ローターの吸湿部への風路とを仕切るものであり、仕切り部は、除湿ローターから吸熱器方向へ延びた除湿ローター側仕切り部と、吸熱器から除湿ローター方向へ延びた吸熱器側仕切り部と、この吸熱器側仕切り部と除湿ローター側仕切り部とを連結する連結仕切り部とから形成し、この連結仕切り部に断熱手段を設けているので、除湿ローターと仕切り部である除湿ローター側仕切り部との間に、氷ができるのを抑制できるものである。
【００５３】
つまり、吸熱器によって、除湿ローターと吸熱器との間の風路の仕切り部である吸熱器側仕切り部が冷やされるが、この吸熱器側仕切り部と除湿ローター側仕切り部とを連結する連結仕切り部に断熱手段を設けているので、吸熱器によって連結仕切り部が冷やされることが低減され、結果として、除湿ローター側仕切り部の伝導する冷熱が抑制され、除湿ローター側仕切り部と除湿ローターとの間での、氷の発生を抑制できる。結論として、氷により除湿ローターの表面を傷つけたり変形させることにより、除湿ローターの開口が塞がった状態となることを防止できる。
【００５４】
これらの結果により、除湿ローターの開口が塞がることにより、除湿ローターを通過する風量が低下し、除湿能力が低下することを抑制することができるものである。
【００５５】
従って、家庭用や事務所用などの、除湿装置として活用が期待されるものである。
【符号の説明】
【００５６】
１      吸気口
２      排気口
３      本体ケース
４      ヒートポンプ
５      圧縮機
６      放熱器
７      膨張手段
８      吸熱器
９      送風手段
１１    除湿ローター
１２    仕切り部
１６    放湿部
１７    吸湿部
１８    ヒーター
１９    送風手段
２０    除湿ローター側仕切り部
２０ａ  上流除湿ローター側仕切り部
２０ｂ  下流除湿ローター側仕切り部
２１    吸熱器側仕切り部
２２    連結仕切り部
２２ａ  上流連結仕切り部
２２ｂ  下流連結仕切り部
２３    断熱手段
２３ａ  断熱手段
２３ｂ  断熱手段
２３ｃ  断熱手段
【図１】
2010253411.tif 000003
【図２】
2010253411.tif 000004
【図３】
2010253411.tif 000005
【図４】
2010253411.tif 000006
【図５】
2010253411.tif 000007